(57)【要約】【課題】電流バランスの劣化を抑えつつコスト削減を可能とする。【解決手段】複数のランプを並列駆動するランプ点灯装置は、第１のランプ及び第２のランプを含む複数のランプに接続され、当該ランプ間の電流量を調整する複数のバランサ・トランスを有する。このバランサ・トランスは一次巻線及び二次巻線を有している。そして、第１のランプ及び第２のランプの一端は、それぞれ別のバランサ・トランスの一次巻線に接続され、第１のランプ及び第２のランプの他端は、共通のバランサ・トランスの一次巻線に接続され、少なくとも２つのバランサ・トランスの二次巻線は、直列に接続されているものである。このように第１のランプ及び第２のランプの他端が、共通のバランサ・トランスの一次巻線に接続されるため、別々にバランサ・トランスに接続するよりもバランサ・トランスの数を削減することができるようになる。【選択図】図１
2007280916.tif 000002
【特許請求の範囲】
【請求項１】
複数のランプを並列駆動するランプ点灯装置であって、
第１のランプ及び第２のランプを含む複数のランプに接続され、当該ランプ間の電流量を調整する複数のバランサ・トランスと、
前記複数のランプの少なくとも片方の端子に前記バランサ・トランスを介して接続する交流電源と、
を有し、
前記バランサ・トランスは一次巻線及び二次巻線を有し、
前記第１のランプ及び前記第２のランプの第１の端子は、それぞれ別の前記バランサ・トランスの一次巻線に接続され、
前記第１のランプ及び前記第２のランプの第２の端子は、共通の前記バランサ・トランスの一次巻線に接続され、
少なくとも２つの前記バランサ・トランスの二次巻線は、直列に接続されている
ことを特徴とするランプ点灯装置。
【請求項２】
前記交流電源が、前記第１のランプ及び前記第２のランプの前記第１の端子に接続される前記バランサ・トランスの一次巻線の他端に接続され、
前記第１のランプ及び前記第２のランプの前記第２の端子に接続される前記バランサ・トランスの一次巻線の他端が接地されている
請求項１記載のランプ点灯装置。
【請求項３】
前記交流電源が、前記第１のランプ及び前記第２のランプの前記第２の端子に接続される前記バランサ・トランスの一次巻線の他端に接続され、
前記第１のランプ及び前記第２のランプの前記第１の端子に接続される前記バランサ・トランスの一次巻線の他端が接地されている
請求項１記載のランプ点灯装置。
【請求項４】
第１のランプ及び第２のランプに接続され、当該ランプ間の電流量を調整するバランサ・トランスと、
前記第１及び第２のランプの少なくとも片方の端子に前記バランサ・トランスを介して接続する交流電源と、
を有し、
前記バランサ・トランスは一次巻線及び二次巻線を有し、
前記第１のランプ及び前記第２のランプの一端は、共通の前記バランサ・トランスの一次巻線に接続され、
前記第１のランプ及び前記第２のランプの他端は、独立に電流が流れるように配線され、
前記第１のランプ及び前記第２のランプの組が複数存在しており、前記バランサ・トランスの二次巻線が閉ループを構成するように接続される
ランプ点灯装置。
【請求項５】
複数のランプを並列且つ差動駆動するランプ点灯装置であって、
第１のランプ及び第２のランプを含む前記複数のランプに接続され、当該ランプ間の電流量を調整する複数のバランサ・トランスを有し、
前記バランサ・トランスは、一次巻線及び二次巻線を有し、
前記第１のランプ及び前記第２のランプの第１の端子は、それぞれ別の前記バランサ・トランスの一次巻線の第１の端子に接続され、
前記第１のランプ及び前記第２のランプの第２の端子は、共通の前記バランサ・トランスの一次巻線の第１の端子に接続され、
前記第１のランプ及び前記第２のランプの前記第１の端子に接続される前記バランサ・トランスの一次巻線の第２の端子には、第１の位相の電流が供給され、
前記第１のランプ及び前記第２のランプの前記第２の端子に接続される前記バランサ・トランスの一次巻線の第２の端子には、前記第１の位相とは逆位相の電流が供給され、
少なくとも２つの前記バランサ・トランスの二次巻線は直列に接続されている
ことを特徴とするランプ点灯装置。
【請求項６】
複数のランプを並列且つ差動駆動するランプ点灯装置であって、
第１乃至第４のランプを含む前記複数のランプに接続され、当該ランプ間の電流量を調整する複数のバランサ・トランスと、
前記複数のランプの両方の端子に前記バランサ・トランスを介して接続する交流電源と、
を有し、
前記バランサ・トランスは、一次巻線及び二次巻線を有し、
前記第１のランプ及び前記第２のランプの第１の端子は、それぞれ別の前記バランサ・トランスの一次巻線に接続され、
前記第１のランプ及び前記第２のランプの第２の端子は、共通の前記バランサ・トランスの一次巻線に接続され、
前記第３のランプ及び前記第４のランプの第１の端子は、それぞれ別の前記バランサ・トランスの一次巻線に接続され、
前記第３のランプ及び前記第４のランプの第２の端子は、共通の前記バランサ・トランスの一次巻線に接続され、
少なくとも２つの前記バランサ・トランスの２次巻線は直列に接続されており、
前記第１のランプ及び前記第２のランプの前記第１の端子は、それぞれ同じ方向を向くように配置され、
前記第３のランプ及び前記第４のランプの前記第２の端子は、それぞれ同じ方向を向くように配置され、
前記第１のランプ及び前記第２のランプの前記第１の端子と、前記第３のランプ及び前記第４のランプの前記第１の端子とが、逆向きになるように配置されている
ことを特徴とするランプ点灯装置。
【請求項７】
並列に配置された前記複数のランプのうち、両端に配置される２つのランプの両端子には、それぞれ別の前記バランサ・トランスの一次巻線が接続される
ことを特徴とする請求項１、５及び６のうちいずれか１つ記載のランプ点灯装置。
【請求項８】
複数のランプを並列且つ差動駆動するランプ点灯装置であって、
第１のランプ及び第２のランプを含む前記複数のランプに接続され、当該ランプ間の電流量を調整する複数のバランサ・トランスを有し、
前記バランサ・トランスは、一次巻線及び二次巻線を有し、
前記第１のランプ及び前記第２のランプの第１の端子は、それぞれ別の前記バランサ・トランスの一次巻線の第１の端子に接続され、
前記第１のランプ及び前記第２のランプの第２の端子は、共通の前記バランサ・トランスの一次巻線の第１の端子に接続され、
前記第１のランプ及び前記第２のランプの前記第１の端子に接続される前記バランサ・トランスの一次巻線の第２の端子には、第１の位相の電流が供給され、
前記第１のランプ及び前記第２のランプの前記第２の端子に接続される前記バランサ・トランスの一次巻線の第２の端子には、前記第１の位相とは逆位相の電流が供給され、
前記バランサ・トランスの二次巻線は閉ループで接続されている
ことを特徴とするランプ点灯装置。
【請求項９】
前記閉ループに電流検出用抵抗を含み、
前記電流検出用抵抗からの信号に基づき前記ランプ点灯装置に接続される交流電源を制御する制御回路
をさらに有する請求項８記載のランプ点灯装置。
【発明の詳細な説明】
【技術分野】
【０００１】
本発明は、ランプ点灯装置に関する。
【背景技術】
【０００２】
米国出願公開公報２００５−９３４７１Ａ１及び米国出願公開公報２００５−９３４７２Ａ１には、図１０に示すようなランプ点灯装置が開示されている。すなわち、例えば冷陰極線管であるランプＬ１０１乃至Ｌ１０６の両端にバランサ・トランスＴ２０１乃至Ｔ２１２の一次巻線を接続して、バランサ・トランスＴ２０１乃至Ｔ２０６の一次巻線の他端については第１のメイン・トランスＴ１０１の二次巻線側に接続し、バランサ・トランスＴ２０７乃至Ｔ２１２の一次巻線の他端については第２のメイン・トランスＴ１０２の二次巻線側に接続している。なお、第１のメイン・トランスＴ１０１の一次巻線側には交流電源Ｖ１０１が接続され、第２のメイン・トランスＴ１０２の一次巻線側には交流電源Ｖ１０２が接続されている。ここで、バランサ・トランスＴ２０１乃至Ｔ２０６の二次巻線については閉ループ１０１を構成するように接続されており、バランサ・トランスＴ２０７乃至Ｔ２１２の二次巻線についても閉ループ１０２を構成するように接続されている。
【０００３】
交流電源Ｖ１０１及び交流電源Ｖ１０２のそれぞれは、ランプＬ１０１乃至Ｌ１０６の両端に、当該ランプＬ１０１乃至Ｌ１０６の点灯に必要な電圧の１／２の電圧を逆位相で、第１及び第２のメイン・トランスＴ１０１及びＴ１０２を介して印加することによって、ランプＬ１０１乃至Ｌ１０６の点灯を行う。このような駆動を行うことによって、大型液晶テレビ等の高い電圧が必要なランプに対しても、ランプの片側だけを見れば１／２の電圧でランプを点灯させることができ、トランスや配線パターンで必要な絶縁耐圧を半分にすることができる。また、閉ループ１０１によって、バランサ・トランスＴ２０１乃至Ｔ２０６の二次巻線の電流を同一にすることによって、一次巻線側に接続されているランプＬ１０１乃至Ｌ１０６に流れる電流をそろえ、ランプ間の輝度のばらつきを抑えるようになっている。同様に、閉ループ１０２によって、バランサ・トランスＴ２０７乃至Ｔ２１２の二次巻線の電流を同一にすることによって、一次巻線側に接続されているランプＬ１０１乃至Ｌ１０６に流れる電流をそろえ、ランプ間の輝度のばらつきを抑えるようになっている。
【０００４】
上記公報には上で述べたランプ点灯装置の他に、閉ループをランプの片側のみに設ける方法や１つの交流電源を用いてランプの両端を駆動するようにするランプ点灯装置が開示されている。
【特許文献１】米国出願公開公報２００５−９３４７１Ａ１
【特許文献２】米国出願公開公報２００５−９３４７２Ａ１
【発明の開示】
【発明が解決しようとする課題】
【０００５】
図８に示したようなランプ点灯装置は、各ランプの電流バランスは非常によいが、ランプ１本当たり２つのバランサ・トランスが必要となり、コスト面で問題を有している。一方、バランサ・トランスを安易に削減すると、電流バランスが崩れて輝度のばらつきが発生してしまう。
【０００６】
従って、本発明の目的は、電流バランスの劣化を抑えつつコスト削減を可能とするランプ点灯装置を提供することである。
【課題を解決するための手段】
【０００７】
本発明の第１の態様に係る、複数のランプを並列駆動するランプ点灯装置は、第１のランプ及び第２のランプを含む複数のランプに接続され、当該ランプ間の電流量を調整する複数のバランサ・トランスと、複数のランプの少なくとも片方の端子にバランサ・トランスを介して接続する交流電源とを有する。このバランサ・トランスは一次巻線及び二次巻線を有している。そして、第１のランプ及び第２のランプの第１の端子は、それぞれ別のバランサ・トランスの一次巻線に接続され、第１のランプ及び第２のランプの第２の端子は、共通の前記バランサ・トランスの一次巻線に接続され、少なくとも２つの前記バランサ・トランスの二次巻線は、直列に接続されるものである。
【０００８】
このように第１のランプ及び第２のランプの第２の端子が、共通のバランサ・トランスの一次巻線に接続されるため、別々にバランサ・トランスに接続するよりもバランサ・トランスの数を削減することができるようになる。なお、３以上のランプに共通してバランサ・トランスを接続しても良い。
【０００９】
また、上記交流電源が、第１のランプ及び第２のランプの第１の端子に接続されるバランサ・トランスの一次巻線の他端に接続され、第１のランプ及び第２のランプの第２の端子に接続されるバランサ・トランスの一次巻線の他端が接地される場合もある。一方、上記交流電源が、第１のランプ及び第２のランプの第２の端子に接続されるバランサ・トランスの一次巻線の他端に接続され、第１のランプ及び第２のランプの第１の端子に接続されるバランサ・トランスの一次巻線の他端が接地される場合もある。
【００１０】
また、本発明の第２の態様に係るランプ点灯装置は、第１のランプ及び第２のランプに接続され、当該ランプ間の電流量を調整するバランサ・トランスと、第１及び第２のランプの少なくとも片方の端子にバランサ・トランスを介して接続する交流電源とを有する。このバランサ・トランスは一次巻線及び二次巻線を有する。そして、第１のランプ及び第２のランプの一端は、共通のバランサ・トランスの一次巻線に接続され、第１のランプ及び第２のランプの他端は、独立に電流が流れるように配線され、第１のランプ及び第２のランプの組が複数存在しており、バランサ・トランスの二次巻線が閉ループを構成するように接続されるものである。
【００１１】
例えばランプの一端のみを共通のバランサ・トランスの一次巻線に接続することによって、電流バランスの崩れを最小限に抑えることができるようになる。
【００１２】
さらに、本発明の第３の態様に係る、複数のランプを並列且つ差動駆動するランプ点灯装置は、第１のランプ及び第２のランプを含む複数のランプに接続され、当該ランプ間の電流量を調整する複数のバランサ・トランスを有する、このバランサ・トランスは、一次巻線及び二次巻線を有する。そして、第１のランプ及び第２のランプの第１の端子は、それぞれ別のバランサ・トランスの一次巻線の第１の端子に接続され、第１のランプ及び第２のランプの第２の端子は、共通のバランサ・トランスの一次巻線の第１の端子に接続される。また、第１のランプ及び第２のランプの第１の端子に接続されるバランサ・トランスの一次巻線の第２の端子には、第１の位相の電流が供給され、第１のランプ及び第２のランプの第２の端子に接続されるバランサ・トランスの一次巻線の第２の端子には、第１の位相とは逆位相の電流が供給される。そして、少なくとも２つのバランサ・トランスの二次巻線は直列に接続されているものである。このようにランプを差動駆動する場合にも対処することができる。
【００１３】
また、本発明の第４の態様に係る、複数のランプを並列且つ差動駆動するランプ点灯装置は、第１乃至第４のランプを含む複数のランプに接続され、当該ランプ間の電流量を調整する複数のバランサ・トランスと、複数のランプの両方の端子にバランサ・トランスを介して接続する交流電源とを有する。このバランサ・トランスは、一次巻線及び二次巻線を有する。そして、第１のランプ及び第２のランプの第１の端子は、それぞれ別のバランサ・トランスの一次巻線に接続され、第１のランプ及び第２のランプの第２の端子は、共通のバランサ・トランスの一次巻線に接続される。また、第３のランプ及び第４のランプの第１の端子は、それぞれ別のバランサ・トランスの一次巻線に接続され、第３のランプ及び第４のランプの第２の端子は、共通のバランサ・トランスの一次巻線に接続される。そして、少なくとも２つのバランサ・トランスの２次巻線は直列に接続されている。さらに、第１のランプ及び第２のランプの第１の端子は、それぞれ同じ方向を向くように配置され、第３のランプ及び第４のランプの前記第２の端子は、それぞれ同じ方向を向くように配置され、第１のランプ及び第２のランプの第１の端子と、第３のランプ及び第４のランプの第１の端子とが、逆向きになるように配置されている。
【００１４】
このように２以上のランプの第１の端子に共通のバランサ・トランスの一次巻線を接続する場合には、当該共通のバランサ・トランスを、かたまって配置すると、輝度ばらつきを生じやすくなるため、例えば交互に配置することによって全体として輝度ばらつきを抑えることができるようになる。分散配置できればなお好ましい。
【００１５】
また、本発明の第１、第３及び第４の実施の形態においては、並列に配置された複数のランプのうち、両端に配置される２つのランプの両端子には、それぞれ別のバランサ・トランスの一次巻線が接続されるようにしてもよい。両端に配置されるランプほど、温度変化や寄生容量に影響を受けやすいため、このような構成にすれば、全体として輝度ばらつきが目立たないようになる。
【００１６】
本発明の第５の態様に係る、複数のランプを並列且つ差動駆動するランプ点灯装置は、第１のランプ及び第２のランプを含む複数のランプに接続され、当該ランプ間の電流量を調整する複数のバランサ・トランスを有する。このバランサ・トランスは、一次巻線及び二次巻線を有し、第１のランプ及び第２のランプの第１の端子は、それぞれ別のバランサ・トランスの一次巻線の第１の端子に接続され、第１のランプ及び第２のランプの第２の端子は、共通のバランサ・トランスの一次巻線の第１の端子に接続される。そして、第１のランプ及び第２のランプの第１の端子に接続されるバランサ・トランスの一次巻線の第２の端子には、第１の位相の電流が供給され、第１のランプ及び第２のランプの第２の端子に接続されるバランサ・トランスの一次巻線の第２の端子には、第１の位相とは逆位相の電流が供給される。また、バランサ・トランスの二次巻線は閉ループで接続されている。このようにすれば、差動駆動を行った上で、片側のバランサ・トランスの数を削減でき、輝度バランスを図ることができるようになる。
【００１７】
また、閉ループに電流検出用抵抗を含むようにしてもよい。その際、電流検出用抵抗からの信号に基づきランプ点灯装置に接続される交流電源を制御する制御回路をさらに有するようにしてもよい。
【００１８】
以上のような構成を実現するための回路は複数存在しており、以下に具体例を示すが、本発明はこれに限定されるものではない。
【発明の効果】
【００１９】
本発明によれば、電流バランスの劣化を抑えつつコスト削減を可能とするランプ点灯装置を特定することができる。
【発明を実施するための最良の形態】
【００２０】
［実施の形態１］
本発明の第１の実施の形態に係るランプ点灯装置を図１に示す。本実施の形態に係るランプ点灯装置は、交流電源Ｖ１及びＶ２と、例えば冷陰極線管であるランプＬ１乃至Ｌ６と、メイン・トランスＴ１及びＴ２と、２つのランプに接続される第１のバランサ・トランスＴ３乃至Ｔ５と、１つのランプに接続される第２のバランサ・トランスＴ６乃至Ｔ１１とを有する。
【００２１】
交流電源Ｖ１は、メイン・トランスＴ１の一次巻線に接続されている。メイン・トランスＴ１の二次巻線の一端は接地されており、他端は、第１のバランサ・トランスＴ３の一次巻線の一端、第１のバランサ・トランスＴ４の一次巻線の一端、第１のバランサ・トランスＴ５の一次巻線の一端に接続されている。第１のバランサ・トランスＴ３の一次巻線の他端は、ランプＬ１及びＬ２の一端に接続される。また、第１のバランサ・トランスＴ４の一次巻線の他端は、ランプＬ３及びＬ４の一端に接続される。さらに、第１のバランサ・トランスＴ５の一次巻線の他端は、ランプＬ５及びＬ６の一端に接続される。
【００２２】
また、交流電源Ｖ２は、メイン・トランスＴ２の一次巻線に接続されており、交流電源Ｖ１とは同位相の電圧を出力する。但し、メイン・トランスＴ２は、メイン・トランスＴ１とは極性が異なるため、メイン・トランスＴ２の二次巻線側には、逆位相の電圧が出力される。そして、メイン・トランスＴ２の二次巻線の一端は接地されており、他端は、第２のバランサ・トランスＴ６乃至Ｔ１１の一次巻線の一端に接続されている。第２のバランサ・トランスＴ６の一次巻線の他端は、ランプＬ１の他端に接続されている。第２のバランサ・トランスＴ７の一次巻線の他端は、ランプＬ２の他端に接続されている。第２のバランサ・トランスＴ８の一次巻線の他端は、ランプＬ３の他端に接続されている。第２のバランサ・トランスＴ９の一次巻線の他端は、ランプＬ４の他端に接続されている。第２のバランサ・トランスＴ１０の一次巻線の他端は、ランプＬ５の他端に接続されている。第２のバランサ・トランスＴ１１の一次巻線の他端は、ランプＬ６の他端に接続されている。
【００２３】
第１のバランサ・トランスＴ３乃至Ｔ５の二次巻線と、第２のバランサ・トランスＴ６乃至Ｔ１１の二次巻線とは、１つの閉ループを構成するように直列に接続されている。この閉ループによって、第１のバランサ・トランスＴ３乃至Ｔ５及び第２のバランサ・トランスＴ６乃至Ｔ１１の二次巻線に流れる電流が均一化されるので、各バランサ・トランスの一次巻線に流れる電流も均一化され、結果としてランプＬ１乃至Ｌ６に流れる電流が均一化される。
【００２４】
なお、全てのバランサ・トランスに１本のランプが接続されている場合には、二次巻線側に多くの電流を流す必要はないので、バランサ・トランスの一次巻線と二次巻線の巻線比は１：１未満とされる。本実施の形態では、第１のバランサ・トランスＴ３乃至Ｔ５の一次巻線側には２本分の電流が流れるため、第２のバランサ・トランスＴ６乃至Ｔ１１を基準とすると、第１のバランサ・トランスＴ３乃至Ｔ５の巻線比は１／２となる。例えば、第２のバランサ・トランスの巻線比が２：１であれば、第１のバランサ・トランスの巻線比は４：１となる。これによって閉ループに適切な電流が流れることになる。
【００２５】
このようなランプ点灯装置では、従来技術と比較すると、閉ループによってランプに流れる電流を均一化するという点ではほぼ同じであるが、左側のバランサ・トランスの数は１／２となるため、コスト削減が可能となる。
【００２６】
なお、上で述べた例では、第１のバランサ・トランスの一次巻線に接続されるランプの数を２の例にしたが、２以上であっても良い。その場合には、コスト削減効果が大きくなる。一般的にＮとすると、巻線比は１／Ｎとなる。
【００２７】
［実施の形態２］
第１の実施の形態では、ランプの左側のバランサ・トランスのみを削減したため、ランプの左側に輝度ばらつきが生じやすい。また、ランプの束の上下の端に配置されたランプは、それらの内側に配置されたランプに比べて、熱のばらつき、反射板とランプ間などの寄生容量などのばらつきが大きくなるので、輝度のばらつきが生じやすい。このような点を改善するためには、本発明の第２の実施の形態が好ましい。
【００２８】
本発明の第２の実施の形態に係るランプ点灯装置は、図２に示すように、交流電源Ｖ１１及びＶ１２と、例えば冷陰極線管であるランプＬ１１乃至Ｌ１６と、メイン・トランスＴ３１及びＴ３２と、第１のバランサ・トランスＴ２９及びＴ３０と、第２のバランサ・トランスＴ２１乃至Ｔ２８とを有する。
【００２９】
交流電源Ｖ１１は、メイン・トランスＴ３１の一次巻線に接続されている。メイン・トランスＴ３１の二次巻線の一端は接地されており、他端は、第２のバランサ・トランスＴ２１の一次巻線の一端、第２のバランサ・トランスＴ２２の一次巻線の一端、第２のバランサ・トランスＴ２３の一次巻線の一端、第１のバランサ・トランスＴ２９の一次巻線の一端、第２のバランサ・トランスＴ２４の一次巻線の一端に接続されている。第２のバランサ・トランスＴ２１の一次巻線の他端は、ランプＬ１１の一端に接続される。また、第２のバランサ・トランスＴ２２の一次巻線の他端は、ランプＬ１２の一端に接続される。さらに、第２のバランサ・トランスＴ２３の一次巻線の他端は、ランプＬ１３の一端に接続される。また、第１のバランサ・トランスＴ２９の一次巻線の他端は、ランプＬ１４及びＬ１５の一端に接続される。第２のバランサ・トランスＴ２４の一次巻線の他端は、ランプＬ１６の一端に接続される。
【００３０】
また、交流電源Ｖ１２は、メイン・トランスＴ３２の一次巻線に接続されており、交流電源Ｖ１１とは同位相の電圧を出力する。但し、メイン・トランスＴ３２は、メイン・トランスＴ３１とは極性が異なるため、メイン・トランスＴ３２の二次巻線側には、逆位相の電圧が出力される。そして、メイン・トランスＴ３２の二次巻線の一端は接地されており、他端は、第２のバランサ・トランスＴ２５乃至Ｔ２８の一次巻線の一端、第１のバランサ・トランスＴ３０の一次巻線の一端に接続されている。第２のバランサ・トランスＴ２５の一次巻線の他端は、ランプＬ１１の他端に接続されている。第１のバランサ・トランスＴ３０の一次巻線の他端は、ランプＬ１２及びＬ１３の他端に接続されている。第２のバランサ・トランスＴ２６の一次巻線の他端は、ランプＬ１４の他端に接続されている。第２のバランサ・トランスＴ２７の一次巻線の他端は、ランプＬ１５の他端に接続されている。第２のバランサ・トランスＴ２８の一次巻線の他端は、ランプＬ１６の他端に接続されている。
【００３１】
第１のバランサ・トランスＴ２９及びＴ３０の二次巻線と、第２のバランサ・トランスＴ２１乃至Ｔ２８の二次巻線とは、１つの閉ループを構成するように直列に接続されている。この閉ループによって、第１のバランサ・トランスＴ２９及びＴ３０及び第２のバランサ・トランスＴ２１乃至Ｔ２８の二次巻線に流れる電流が均一化されるので、各バランサ・トランスの一次巻線に流れる電流も均一化され、結果としてランプＬ１１乃至Ｌ１６に流れる電流が均一化される。
【００３２】
本実施の形態では、最も外側のランプＬ１１及びＬ１６は、上で述べたように様々な影響を受けて流れる電流にばらつきが生じやすい。そのため、それらのランプについては、それぞれ両端に１つのバランサ・トランスを接続して、個別に電流バランスの調整を行うようにする。一方、これらのランプＬ１１及びＬ１６の間のランプＬ１２乃至Ｌ１５については、ランプＬ１１及びＬ１６に比べて外部からの影響を受けにくいので、一部についてはバランサ・トランスを統合してコスト削減を図る。特に、第１の実施の形態のように２本のランプを駆動する第１のバランサ・トランスを片側に偏るようにはせず、左右交互に第１のバランサ・トランスを配置するようにしている。従って、２本のランプを駆動することによって生じやすくなる電流バランスのばらつきによって生ずる輝度ばらつきが発生しても、全体としてわかりにくくすることができる。
【００３３】
但し、第１の実施の形態のバランサ・トランスの削減数が３であるのに対して、本実施の形態におけるバランサ・トランスの削減数は２となっている。
【００３４】
なお、第１のバランサ・トランスの巻線比については、第１の実施の形態の第１のバランサ・トランスと同様である。また、第１のバランサ・トランスに接続されるランプ数についても、第１の実施の形態と同様である。
【００３５】
［実施の形態３］
第１の実施の形態では差動駆動の例を示したが、差動駆動を採用しない場合もある。本実施の形態では、差動駆動を行わない場合のランプ点灯装置の一例を説明する。
【００３６】
本発明の第３の実施の形態に係るランプ点灯装置は、図３に示すように、交流電源Ｖ２１と、例えば冷陰極線管であるランプＬ２１乃至Ｌ２６と、メイン・トランスＴ３３と、第１のバランサ・トランスＴ４１乃至Ｔ４３と、第２のバランサ・トランスＴ４４乃至Ｔ４９とを有する。
【００３７】
交流電源Ｖ２１は、メイン・トランスＴ３３の一次巻線に接続されている。メイン・トランスＴ３３の二次巻線の一端は接地されており、他端は、第１のバランサ・トランスＴ４１の一次巻線の一端、第１のバランサ・トランスＴ４２の一次巻線の一端、第１のバランサ・トランスＴ４３の一次巻線の一端に接続されている。第１のバランサ・トランスＴ４１の一次巻線の他端は、ランプＬ２１及びＬ２２の一端に接続される。また、第１のバランサ・トランスＴ４２の一次巻線の他端は、ランプＬ２３及びＬ２４の一端に接続される。さらに、第１のバランサ・トランスＴ４３の一次巻線の他端は、ランプＬ２５及びＬ２６の一端に接続される。
【００３８】
ランプＬ２１の他端は、第２のバランサ・トランスＴ４４の一次巻線の一端に接続され、第２のバランサ・トランスＴ４４の一次巻線の他端は接地されている。ランプＬ２２の他端は、第２のバランサ・トランスＴ４５の一次巻線の一端に接続され、第２のバランサ・トランスＴ４５の一次巻線の他端は接地されている。ランプＬ２３の他端は、第２のバランサ・トランスＴ４６の一次巻線の一端に接続され、第２のバランサ・トランスＴ４６の一次巻線の他端は接地されている。ランプＬ２４の他端は、第２のバランサ・トランスＴ４７の一次巻線の一端に接続され、第２のバランサ・トランスＴ４７の一次巻線の他端は接地されている。ランプＬ２５の他端は、第２のバランサ・トランスＴ４８の一次巻線の一端に接続され、第２のバランサ・トランスＴ４８の一次巻線の他端は接地されている。ランプＬ２６の他端は、第２のバランサ・トランスＴ４９の一次巻線の一端に接続され、第２のバランサ・トランスＴ４９の一次巻線の他端は接地されている。
【００３９】
第１のバランサ・トランスＴ４１乃至Ｔ４３の二次巻線と、第２のバランサ・トランスＴ４４乃至Ｔ４９の二次巻線とは、１つの閉ループを構成するように直列に接続されている。この閉ループによって、第１のバランサ・トランスＴ４１乃至Ｔ４３及び第２のバランサ・トランスＴ４４乃至Ｔ４９の二次巻線に流れる電流が均一化されるので、各バランサ・トランスの一次巻線に流れる電流も均一化され、結果としてランプＬ２１乃至Ｌ２６に流れる電流が均一化される。このようにバランサとしての機能は第１の実施の形態と同じである。
【００４０】
このように、本実施の形態では交流電源及びメイン・トランスを１つ削除した回路となっている。但し、差動駆動ではないので、第１のバランサ・トランスＴ４１乃至Ｔ４３や第２のバランサ・トランスＴ４４乃至Ｔ４９の耐圧を、高くする必要がある。
【００４１】
なお、第１のバランサ・トランスの巻線比については、第１の実施の形態の第１のバランサ・トランスと同様である。また、第１のバランサ・トランスに接続されるランプ数についても、第１の実施の形態と同様である。トランス数の削減効果は、第１の実施の形態と同じである。
【００４２】
［実施の形態４］
第３の実施の形態では、複数のランプに接続される第１のバランサ・トランス側に交流電源及びメイン・トランスが配置され、第２のバランサ・トランス側を接地する例を示したが、逆に第１のバランサ・トランス側を接地して、第２のバランサ・トランス側に、交流電源及びメイン・トランスを配置する場合もある。本実施の形態では後者の形態のランプ点灯装置について説明する。
【００４３】
本発明の第４の実施の形態に係るランプ点灯装置は、図４に示すように、交流電源Ｖ３１と、例えば冷陰極線管であるランプＬ３１乃至Ｌ３６と、メイン・トランスＴ３４と、第１のバランサ・トランスＴ５１乃至Ｔ５３と、第２のバランサ・トランスＴ５４乃至Ｔ５９とを有する。
【００４４】
交流電源Ｖ３１は、メイン・トランスＴ３４の一次巻線に接続されている。メイン・トランスＴ３４の二次巻線の一端は接地されており、他端は、第２のバランサ・トランスＴ５４の一次巻線の一端、第２のバランサ・トランスＴ５５の一次巻線の一端、第２のバランサ・トランスＴ５６の一次巻線の一端、第２のバランサ・トランスＴ５７の一次巻線の一端、第２のバランサ・トランスＴ５８の一次巻線の一端、第２のバランサ・トランスＴ５９の一次巻線の一端に接続されている。第２のバランサ・トランスＴ５４の一次巻線の他端は、ランプＬ３１の一端に接続される。また、第２のバランサ・トランスＴ５５の一次巻線の他端は、ランプＬ３２の一端に接続される。さらに、第２のバランサ・トランスＴ５６の一次巻線の他端は、ランプＬ３３の一端に接続される。また第２のバランサ・トランスＴ５７の一次巻線の他端は、ランプＬ３４の一端に接続される。第２のバランサ・トランスＴ５８の一次巻線の他端は、ランプＬ３５の一端に接続される。また、さらに、第２のバランサ・トランスＴ５９の一次巻線の他端は、ランプＬ３６の一端に接続される。
【００４５】
ランプＬ３１の他端及びランプＬ３２の他端は、第１のバランサ・トランスＴ５１の一次巻線の一端に接続され、第１のバランサ・トランスＴ５１の一次巻線の他端は接地されている。ランプＬ３３の他端及びランプＬ３４の他端は、第１のバランサ・トランスＴ５２の一次巻線の一端に接続され、第１のバランサ・トランスＴ５２の一次巻線の他端は接地されている。ランプＬ３５の他端及びランプＬ３６の他端は、第１のバランサ・トランスＴ５３の一次巻線の一端に接続され、第１のバランサ・トランスＴ５３の一次巻線の他端は接地されている。
【００４６】
第１のバランサ・トランスＴ５１乃至Ｔ５３の二次巻線と、第２のバランサ・トランスＴ５４乃至Ｔ５９の二次巻線とは、１つの閉ループを構成するように直列に接続されている。この閉ループによって、第１のバランサ・トランスＴ５１乃至Ｔ５３及び第２のバランサ・トランスＴ５４乃至Ｔ５９の二次巻線に流れる電流が均一化されるので、各バランサ・トランスの一次巻線に流れる電流も均一化され、結果としてランプＬ３１乃至Ｌ３６に流れる電流が均一化される。
【００４７】
このように、本実施の形態では交流電源及びメイン・トランスを１つ削除した回路となっている。但し、差動駆動ではないので、第１のバランサ・トランスＴ５１乃至Ｔ５３や第２のバランサ・トランスＴ５４乃至Ｔ５９の耐圧を、高くする必要がある。
【００４８】
なお、第１のバランサ・トランスの巻線比については、第１の実施の形態の第１のバランサ・トランスと同様である。また、第１のバランサ・トランスに接続されるランプ数についても、第１の実施の形態と同様である。トランス数の削減効果は、第１の実施の形態と同じである。
【００４９】
［実施の形態５］
上で述べた実施の形態では、ランプの両側に複数のトランスが配置されていたが、さらにコストダウンするため、本実施の形態では、図５に示すようなランプ点灯装置を採用する。
【００５０】
本発明の第５の実施の形態に係るランプ点灯装置は、図５に示すように、交流電源Ｖ４１及びＶ４２と、例えば冷陰極線管であるランプＬ４１乃至Ｌ４５と、メイン・トランスＴ６１及びＴ６８と、第１のバランサ・トランスＴ６２と、第２のバランサ・トランスＴ６３乃至Ｔ６７とを有する。交流電源Ｖ４１及びＶ４２とは、逆位相の電圧を出力する。
【００５１】
交流電源Ｖ４１は、メイン・トランスＴ６１の一次巻線に接続されている。メイン・トランスＴ６１の二次巻線の一端は接地されており、他端は、第１のバランサ・トランスＴ６２の一次巻線の一端に接続されている。第１のバランサ・トランスＴ６２の一次巻線の他端は、ランプＬ４１乃至Ｌ４５の左側の端子に接続されている。このように、交流電源Ｖ４１の逆位相の電圧が、ランプＬ４１乃至Ｌ４５の左側の端子に印加される。
【００５２】
交流電源Ｖ４２は、メイン・トランスＴ６８の一次巻線に接続されている。メイン・トランスＴ６８の二次巻線の一端は接地されており、他端は、第２のバランサ・トランスＴ６３乃至Ｔ６７の一次巻線の一端に接続されている。第２のバランサ・トランスＴ６３の一次巻線の他端は、ランプＬ４１の右側の端子に接続されている。また、第２のバランサ・トランスＴ６４の一次巻線の他端は、ランプＬ４２の右側の端子に接続されている。第２のバランサ・トランスＴ６５の一次巻線の他端は、ランプＬ４３の右側の端子に接続されている。さらに、第２のバランサ・トランスＴ６６の一次巻線の他端は、ランプＬ４４の右側の端子に接続されている。第２のバランサ・トランスＴ６７の一次巻線の他端は、ランプＬ４５の右側の端子に接続されている。このように、交流電源Ｖ４２の逆位相の電圧が、ランプＬ４１乃至Ｌ４５の右側の端子に印加される。
【００５３】
第１のバランサ・トランスＴ６２の二次巻線と、第２のバランサ・トランスＴ６３乃至Ｔ６７の二次巻線とは、閉ループを構成するように直列に接続されている。なお、第１のバランサ・トランスＴ６２の二次巻線に励起される電圧と、第２のバランサ・トランスＴ６３乃至Ｔ６７の二次巻線に励起される電圧とは逆位相なので、第２のバランサ・トランスＴ６３乃至Ｔ６７の二次巻線は極性が順方向（＋−の順番）に接続されるが、第２のバランサ・トランスＴ６３の二次巻線と第１のバランサ・トランスＴ６２の二次巻線との接続及び第２のバランサ・トランスＴ６７の二次巻線と第１のバランサ・トランスＴ６２の二次巻線との接続は極性が逆順（＋＋又は−−の順番）となる。なお、第１のバランサ・トランスＴ６２の二次巻線に流れる電流と、第２のバランサ・トランスＴ６３乃至Ｔ６７の二次巻線に流れる電流も、逆位相となる。
【００５４】
この閉ループによって、第１のバランサ・トランスＴ６２及び第２のバランサ・トランスＴ６３乃至Ｔ６７の二次巻線に流れる電流が均一化されるので、各バランサ・トランスの一次巻線に流れる電流も均一化され、結果としてランプＬ４１乃至Ｌ４５に流れる電流が均一化される。すなわち、ランプの左右で輝度バランスが図られている。
【００５５】
このように、本実施の形態では、ランプＬ４１乃至Ｌ４５を差動駆動し、ランプＬ４１乃至Ｌ４５の左側のバランサ・トランスの数を減らして、コスト削減を図っている。
【００５６】
なお、第１のバランサ・トランスの巻線比については、第１の実施の形態の第１のバランサ・トランスと同様に決定される。また、第１のバランサ・トランスに接続されるランプ数についても、第１の実施の形態と同様に決定される。
【００５７】
また、図５で示した回路は、図６に示すように変形することが可能である。図５と図６の違いは、（１）交流電源Ｖ４２の代わりに、メイン・トランスＴ６８の一次巻線とメイン・トランスＴ６１の一次巻線とを逆極性で接続すると共に交流電源Ｖ４１の実体となるスイッチング回路１０の出力に接続する点、（２）閉ループに電流検出用の抵抗Ｒ１を直列に挿入し、当該抵抗Ｒ１の一端を接地すると共に他端を制御回路１１に接続し、当該制御回路１１が電流検出用の抵抗Ｒ１で検出された電流変化に基づきスイッチング回路１０のスイッチングを制御して、メイン・トランスＴ６１及びＴ６８を介したランプＬ４１乃至Ｌ４５の駆動電流を均一化する点である。なお、スイッチング回路１０は、他の電源とキャパシタ１２の一端と接続しており、キャパシタ１２の他端は接地されている。
【００５８】
図８のような従来技術では、閉ループが２つ設けられるので、それぞれについて電流を検出して一定化させる必要があるが、本実施の形態のようにすれば、１つの電流検出用の抵抗Ｒ１で、ランプＬ４１乃至Ｌ４５の左右の電流を検出できるようになる。
【００５９】
［実施の形態６］  
図７に実施の形態５をさらにコストダウンした場合のランプ点灯装置を示す。
【００６０】
本発明の第６の実施の形態に係るランプ点灯装置は、図７に示すように、交流電源Ｖ４３及びＶ４４と、例えば冷陰極線管であるランプＬ５１乃至Ｌ５５と、メイン・トランスＴ７４及びＴ７５と、バランサ・トランスＴ６９乃至Ｔ７３とを有する。交流電源Ｖ４３及びＶ４４とは、同相の電圧を出力する。
【００６１】
交流電源Ｖ４３は、メイン・トランスＴ７４の一次巻線に接続されている。メイン・トランスＴ７４の二次巻線の一端は接地されており、他端は、ランプＬ５１乃至Ｌ５５の左側の端子に接続されている。このように、交流電源Ｖ４３の同相の電圧が、ランプＬ５１乃至Ｌ５５の左側の端子に印加される。
【００６２】
交流電源Ｖ４４は、メイン・トランスＴ７５の一次巻線に接続されている。メイン・トランスＴ７５の二次巻線の一端は接地されており、他端は、バランサ・トランスＴ６９乃至Ｔ７３の一次巻線の一端に接続されている。バランサ・トランスＴ６９の一次巻線の他端は、ランプＬ５１の右側の端子に接続されている。また、バランサ・トランスＴ７０の一次巻線の他端は、ランプＬ５２の右側の端子に接続されている。バランサ・トランスＴ７１の一次巻線の他端は、ランプＬ５３の右側の端子に接続されている。さらに、バランサ・トランスＴ７２の一次巻線の他端は、ランプＬ５４の右側の端子に接続されている。バランサ・トランスＴ７３の一次巻線の他端は、ランプＬ５５の右側の端子に接続されている。このように、交流電源Ｖ４４の逆位相の電圧が、ランプＬ５１乃至Ｌ５５の右側の端子に印加される。
【００６３】
そしてバランサ・トランスＴ６９乃至Ｔ７３の二次巻線は、閉ループを構成するように直列に接続されている。バランサ・トランスＴ６９乃至Ｔ７３の二次巻線は極性が順方向（＋−の順番）に接続される。
【００６４】
この閉ループによって、バランサ・トランスＴ６９乃至Ｔ７３の二次巻線に流れる電流が均一化されるので、各バランサ・トランスの一次巻線に流れる電流も均一化され、結果としてランプＬ５１乃至Ｌ５５の右側に流れる電流が均一化される。但し、ランプＬ５１乃至Ｌ５５の左側はトランスが省略されているので、コストは削減できるが、輝度ばらつきは大きくなってしまう。
【００６５】
［実施の形態７］
＊ 実施の形態６を示す図７を見ると、ランプＬ５１乃至Ｌ５５には全て同じ位相の電流が流れるため、ノイズにより画面への悪影響が出やすい。そこで、本実施の形態では、並んで配置されているランプに互い違いの位相の電流が流れるように、ランプ点灯装置を２系統で構成する。
【００６６】
本発明の第７の実施の形態に係るランプ点灯装置は、図８に示すように、第１の系統用の交流電源Ｖ４５及びＶ４６と、第２の系統用の交流電源Ｖ４７及びＶ４８と、例えば冷陰極線管である第１の系統用のランプＬ５６乃至Ｌ５８と、第２の系統用のランプＬ５９乃至Ｌ６１と、第１の系統用のメイン・トランスＴ７６及びＴ７７と、第２の系統用のメイン・トランスＴ７８及びＴ７９と、第１の系統用のバランサ・トランスＴ８０乃至Ｔ８２と、第２の系統用のバランサ・トランスＴ８３乃至Ｔ８５とを有する。交流電源Ｖ４５及びＶ４６とは、同相の電圧を出力する。交流電源Ｖ４７及びＶ４８とは、同相の電圧を出力する。また、交流電源Ｖ４５及びＶ４６と、交流電源Ｖ４７及びＶ４８とは逆相の電圧を出力する。
【００６７】
第１の系統用の交流電源Ｖ４５は、第１の系統用のメイン・トランスＴ７６の一次巻線に接続されている。第１の系統用のメイン・トランスＴ７６の二次巻線の一端は接地されており、他端は、第１の系統用のランプＬ５６乃至Ｌ５８の左側の端子に接続されている。このように、第１の系統用の交流電源Ｖ４５の同相の電圧が、第１の系統用のランプＬ５６乃至Ｌ５８の左側の端子に印加される。
【００６８】
第１の系統用の交流電源Ｖ４６は、第１の系統用のメイン・トランスＴ７７の一次巻線に接続されている。第１の系統用のメイン・トランスＴ７７の二次巻線の一端は接地されており、他端は、第１の系統用のバランサ・トランスＴ８０乃至Ｔ８２の一次巻線の一端に接続されている。第１の系統用のバランサ・トランスＴ８０の一次巻線の他端は、第１の系統用のランプＬ５６の右側の端子に接続されている。また、第１の系統用のバランサ・トランスＴ８１の一次巻線の他端は、ランプＬ５７の右側の端子に接続されている。第１の系統用のバランサ・トランスＴ８２の一次巻線の他端は、第１の系統用のランプＬ５８の右側の端子に接続されている。このように、第１の系統用の交流電源Ｖ４６の逆位相の電圧が、ランプＬ５６乃至Ｌ５８の右側の端子に印加される。
【００６９】
第２の系統用の交流電源Ｖ４７は、第２の系統用のメイン・トランスＴ７８の一次巻線に接続されている。第２の系統用のメイン・トランスＴ７８の二次巻線の一端は接地されており、他端は、第２の系統用のランプＬ５９乃至Ｌ６１の左側の端子に接続されている。このように、第２の系統用の交流電源Ｖ４７の同相の電圧が、第２の系統用のランプＬ５９乃至Ｌ６１の左側の端子に印加される。
【００７０】
第２の系統用の交流電源Ｖ４８は、第２の系統用のメイン・トランスＴ７９の一次巻線に接続されている。第２の系統用のメイン・トランスＴ７９の二次巻線の一端は接地されており、他端は、第２の系統用のバランサ・トランスＴ８３乃至Ｔ８５の一次巻線の一端に接続されている。第２の系統用のバランサ・トランスＴ８３の一次巻線の他端は、第２の系統用のランプＬ５９の右側の端子に接続されている。また、第２の系統用のバランサ・トランスＴ８４の一次巻線の他端は、ランプＬ６０の右側の端子に接続されている。第２の系統用のバランサ・トランスＴ８５の一次巻線の他端は、第２の系統用のランプＬ６１の右側の端子に接続されている。このように、第２の系統用の交流電源Ｖ４８の逆位相の電圧が、ランプＬ５９乃至Ｌ６１の右側の端子に印加される。
【００７１】
このように第１の系統のランプＬ５６乃至Ｌ５８と、第２の系統のランプＬ５９乃至Ｌ６１とは、逆位相の電流が流れることとなる。
【００７２】
そしてバランサ・トランスＴ８０乃至Ｔ８５の二次巻線は、閉ループを構成するように直列に接続されている。但し、第１の系統用のバランサ・トランスＴ８０乃至Ｔ８２の二次巻線に励起される電圧と、第２の系統用のバランサ・トランスＴ８３乃至Ｔ８５の二次巻線に励起される電圧とは逆位相なので、バランサ・トランスＴ８０の二次巻線とバランサ・トランスＴ８３の二次巻線とは極性が逆順（−−の順番）で接続され、バランサ・トランスＴ８３の二次巻線とバランサ・トランスＴ８１の二次巻線とは極性が逆順（＋＋の順番）で接続され、バランサ・トランスＴ８１の二次巻線とバランサ・トランスＴ８４の二次巻線とは極性が逆順（−−の順番）で接続され、バランサ・トランスＴ８４の二次巻線とバランサ・トランスＴ８２の二次巻線とは極性が逆順（＋＋の順番）で接続され、バランサ・トランスＴ８２の二次巻線とバランサ・トランスＴ８５の二次巻線とは極性が逆順（−−の順番）で接続され、バランサ・トランスＴ８５の二次巻線とバランサ・トランスＴ８０の二次巻線とは極性が逆順（＋＋の順番）で接続される。但し、閉ループに流れる電流の向きを揃えるためであるから、バランサ・トランスの一次巻線とランプの接続方法を１つずつ逆になるようにすれば、二次巻線の閉ループをこのような逆順にしなくとも済む。
【００７３】
この閉ループによって、バランサ・トランスＴ８０乃至Ｔ８５の二次巻線に流れる電流が均一化されるので、各バランサ・トランスの一次巻線に流れる電流も均一化され、結果としてランプＬ５６乃至Ｌ６１の右側に流れる電流が均一化される。ランプＬ５６乃至Ｌ６１の左側にバランサ・トランスは設けられていないので、ランプの左側に流れる電流にはばらつきが生じるが、上で述べたように位相が互い違いになるように配置されているので、ランプ駆動波形により発生するノイズをキャンセルすることができ、画面への悪影響を抑えることができるようになる。
【００７４】
［実施の形態８］
＊ 実施の形態７では、ランプの左側にバランサ・トランスを設けない実施の形態を示したが、本実施の形態では、ランプの左側にもバランサ・トランスを設ける例を示す。
【００７５】
本発明の第８の実施の形態に係るランプ点灯装置は、図９に示すように、第１の系統用の交流電源Ｖ５１及びＶ５２と、第２の系統用の交流電源Ｖ５３及びＶ５４と、例えば冷陰極線管である第１の系統用のランプＬ６２乃至Ｌ６４と、第２の系統用のランプＬ６５乃至Ｌ６７と、第１の系統用のメイン・トランスＴ９４及びＴ９５と、第２の系統用のメイン・トランスＴ９６及びＴ９７と、第１の系統用のバランサ・トランスＴ８６乃至Ｔ８９と、第２の系統用のバランサ・トランスＴ９０乃至Ｔ９３とを有する。交流電源Ｖ５１及びＶ５３とは、同相の電圧を出力する。交流電源Ｖ５２及びＶ５４とは、同相の電圧を出力する。また、交流電源Ｖ５１及びＶ５３と、交流電源Ｖ５２及びＶ５４とは逆相の電圧を出力する。
【００７６】
第１の系統用の交流電源Ｖ５１は、第１の系統用のメイン・トランスＴ９４の一次巻線に接続されている。第１の系統用のメイン・トランスＴ９４の二次巻線の一端は接地されており、他端は、第１の系統用のバランサ・トランスＴ８６の一次巻線の一端に接続されている。第１の系統用のバランサ・トランスＴ８６の一次巻線の他端は、第１の系統用のランプＬ６２乃至Ｌ６４の左側の端子に接続されている。このように、第１の系統用の交流電源Ｖ５１の逆相の電圧が、第１の系統用のランプＬ６２乃至Ｌ６４の左側の端子に印加される。
【００７７】
第１の系統用の交流電源Ｖ５２は、第１の系統用のメイン・トランスＴ９５の一次巻線に接続されている。第１の系統用のメイン・トランスＴ９５の二次巻線の一端は接地されており、他端は、第１の系統用のバランサ・トランスＴ８７乃至Ｔ８９の一次巻線の一端に接続されている。第１の系統用のバランサ・トランスＴ８７の一次巻線の他端は、第１の系統用のランプＬ６２の右側の端子に接続されている。また、第１の系統用のバランサ・トランスＴ８８の一次巻線の他端は、ランプＬ６３の右側の端子に接続されている。第１の系統用のバランサ・トランスＴ８９の一次巻線の他端は、第１の系統用のランプＬ６４の右側の端子に接続されている。このように、第１の系統用の交流電源Ｖ５２の逆位相の電圧が、ランプＬ６２乃至Ｌ６４の右側の端子に印加される。
【００７８】
第２の系統用の交流電源Ｖ５３は、第２の系統用のメイン・トランスＴ９６の一次巻線に接続されている。第２の系統用のメイン・トランスＴ９６の二次巻線の一端は接地されており、他端は、第２の系統用のバランサ・トランスＴ９０の一次巻線の一端に接続されている。第２の系統用のバランサ・トランスＴ９０の一次巻線の他端は、第２の系統用のランプＬ６５乃至Ｌ６７の左側の端子に接続されている。このように、第２の系統用の交流電源Ｖ５３の逆相の電圧が、第２の系統用のランプＬ６５乃至Ｌ６７の左側の端子に印加される。
【００７９】
第２の系統用の交流電源Ｖ５４は、第２の系統用のメイン・トランスＴ９７の一次巻線に接続されている。第２の系統用のメイン・トランスＴ９７の二次巻線の一端は接地されており、他端は、第２の系統用のバランサ・トランスＴ９１乃至Ｔ９３の一次巻線の一端に接続されている。第２の系統用のバランサ・トランスＴ９１の一次巻線の他端は、第２の系統用のランプＬ６５の右側の端子に接続されている。また、第２の系統用のバランサ・トランスＴ９２の一次巻線の他端は、ランプＬ６６の右側の端子に接続されている。第２の系統用のバランサ・トランスＴ９３の一次巻線の他端は、第２の系統用のランプＬ６７の右側の端子に接続されている。このように、第２の系統用の交流電源Ｖ５４の逆位相の電圧が、ランプＬ６５乃至Ｌ６７の右側の端子に印加される。
【００８０】
このように第１の系統のランプＬ６２乃至Ｌ６４と、第２の系統のランプＬ６５乃至Ｌ６７とは、逆位相の電流が流れることとなる。
【００８１】
そしてバランサ・トランスＴ８６乃至Ｔ９３の二次巻線は、閉ループを構成するように直列に接続されている。但し、第１の系統用のバランサ・トランスＴ８６乃至Ｔ８９の二次巻線に励起される電圧と、第２の系統用のバランサ・トランスＴ９０乃至Ｔ９３の二次巻線に励起される電圧とは逆位相なので、バランサ・トランスＴ８６の二次巻線とバランサ・トランスＴ９０の二次巻線とは極性が逆順（−−の順番）で接続され、バランサ・トランスＴ９０の二次巻線とバランサ・トランスＴ９３の二次巻線とは極性が逆順（＋＋の順番）で接続され、バランサ・トランスＴ９３の二次巻線とバランサ・トランスＴ８９の二次巻線とは極性が逆順（−−の順番）で接続され、バランサ・トランスＴ８９の二次巻線とバランサ・トランスＴ９２の二次巻線とは極性が逆順（＋＋の順番）で接続され、バランサ・トランスＴ９２の二次巻線とバランサ・トランスＴ８８の二次巻線とは極性が逆順（−−の順番）で接続され、バランサ・トランスＴ８８の二次巻線とバランサ・トランスＴ９１の二次巻線とは極性が逆順（＋＋の順番）で接続され、バランサ・トランスＴ９１の二次巻線とバランサ・トランスＴ８７の二次巻線とは極性が逆順（−−の順番）で接続され、バランサ・トランスＴ８７の二次巻線とバランサ・トランスＴ８６の二次巻線とは極性が逆順（＋＋の順番）で接続される。
【００８２】
この閉ループによって、バランサ・トランスＴ８６乃至Ｔ９３の二次巻線に流れる電流が均一化されるので、各バランサ・トランスの一次巻線に流れる電流も均一化され、結果としてランプＬ６２乃至Ｌ６７に流れる電流が均一化される。すなわち、輝度ばらつきを抑えることができるようになる。ランプの両端にバランサ・トランスが配置されているので、実施の形態７よりも輝度バランスがよい。但し、バランサ・トランスＴ８６及びＴ９０巻線比については、第１の実施の形態の第１のバランサ・トランスと同様に決定される。また、第１のバランサ・トランスに接続されるランプ数についても、第１の実施の形態と同様に決定される。
【００８３】
以上本発明の実施の形態を述べたが、本発明はこれに限定されるものではない。例えば、ランプの本数は５又は６に限定されるものではなく、それら以外についても適用可能である。その際には、Ｎ本のランプを駆動する第１のバランサ・トランスの配置を左右交互にするだけでなく、このＮ本のランプが連続しないように第２のバランサ・トランスを間に挟むようにすれば、より輝度のばらつきを抑えることができるようになる。但し、第２のバランサ・トランスの数が増加すれば、コスト削減の効果が少なくなるため、輝度バランス（電流バランス）とコスト削減のバランスを考慮しつつ、全体構成を決定すればよい。
【００８４】
また、第１及び第２の実施の形態においては、閉ループをランプの左右に接続されているバランサ・トランスの全ての二次巻線を繋ぐようにしていたが、従来技術のように左右で閉ループ分けるようにしても良い。さらに、第１の実施の形態において、ランプの右側に接続されたバランサ・トランスＴ６乃至Ｔ１１、メイン・トランスＴ２及び交流電源Ｖ２を用いずに、接地するようにしても良い。
【００８５】
さらに、交流電源については、ランプを駆動する交流の電源であって、場合によってはメイン・トランスを含む部分を交流電源と呼ぶ場合もある。
【図面の簡単な説明】
【００８６】
【図１】本発明の第１の実施の形態に係るランプ点灯装置を示す図である。
【図２】本発明の第２の実施の形態に係るランプ点灯装置を示す図である。
【図３】本発明の第３の実施の形態に係るランプ点灯装置を示す図である。
【図４】本発明の第４の実施の形態に係るランプ点灯装置を示す図である。
【図５】本発明の第５の実施の形態に係るランプ点灯装置を示す図である。
【図６】本発明の第５の実施の形態に係るランプ点灯装置の変形例を示す図である。
【図７】本発明の第６の実施の形態に係るランプ点灯装置を示す図である。
【図８】本発明の第７の実施の形態に係るランプ点灯装置の変形例を示す図である。
【図９】本発明の第８の実施の形態に係るランプ点灯装置を示す図である。
【図１０】従来技術に係るランプ点灯装置を示す図である。
【符号の説明】
【００８７】
Ｖ１，Ｖ２，Ｖ１１，Ｖ１２，Ｖ２１，Ｖ３１，Ｖ４１，Ｖ４２，Ｖ４３，Ｖ４４，Ｖ４５，Ｖ４６，Ｖ４７，Ｖ４８，Ｖ５１，Ｖ５２，Ｖ５３，Ｖ５４  交流電源
Ｔ１，Ｔ２，Ｔ３１，Ｔ３２，Ｔ３３，Ｔ３４，Ｔ６１，Ｔ６８，Ｔ７４，Ｔ７５，Ｔ７６，Ｔ７７，Ｔ７８，Ｔ７９，Ｔ９４，Ｔ９５，Ｔ９６，Ｔ９７  メイン・トランス
Ｔ３乃至Ｔ５，Ｔ２９及びＴ３０，Ｔ４１乃至Ｔ４３，Ｔ５１乃至Ｔ５３，Ｔ６２  第１のバランサ・トランス
Ｔ６乃至Ｔ１１，Ｔ２１乃至Ｔ２８，Ｔ４４乃至Ｔ４９，Ｔ５４乃至Ｔ５９，Ｔ６３乃至Ｔ６７  第２のバランサ・トランス
Ｔ６９乃至Ｔ７３，Ｔ８０乃至Ｔ８５，Ｔ８６乃至Ｔ９３  バランサ・トランス
Ｌ１乃至Ｌ６，Ｌ１１乃至Ｌ１６，Ｌ２１乃至Ｌ２６，Ｌ３１乃至Ｌ３６，Ｌ４１乃至Ｌ４５，Ｌ５１乃至Ｌ５５，Ｌ５６乃至Ｌ６１，Ｌ６２乃至Ｌ６７  ランプ
１０  スイッチング回路
１１  制御回路
１２  キャパシタ
Ｒ１  電流検出用抵抗
【図１】
2007280916.tif 000003
【図２】
2007280916.tif 000004
【図３】
2007280916.tif 000005
【図４】
2007280916.tif 000006
【図５】
2007280916.tif 000007
【図６】
2007280916.tif 000008
【図７】
2007280916.tif 000009
【図８】
2007280916.tif 000010
【図９】
2007280916.tif 000011
【図１０】
2007280916.tif 000012